(57)【要約】【課題】袋体を簡単な構造のスライドファスナーによって容易に開封することができる上方開放型袋体用のスライドファスナー機構の提供を図る。【解決手段】凸条ファスナーテープと、凹条ファスナーテープと、開封スライダーと、で構成される上方開放型袋体用のスライドファスナー機構であって、前記凸条ファスナーテープは、袋体の一方面内側における上方所定箇所に設けて成り、前記凹条ファスナーテープは、袋体の他方面内側における前記凸条ファスナーテープと対向する箇所に該凸条ファスナーテープと咬合可能に設けるとともに、その背面には開放部を外側に向けたカギ状舌片を設けて成り、前記開封スライダーは、前記カギ状舌片に係合してスライド可能とした構造を採用している。【選択図】図１
0003137096.tif 000002
【実用新案登録請求の範囲】
【請求項１】
凸条ファスナーテープと、凹条ファスナーテープと、開封スライダーと、で構成される上方開放型袋体用のスライドファスナー機構であって、
前記凸条ファスナーテープは、袋体の一方面内側における上方所定箇所に設けて成り、
前記凹条ファスナーテープは、袋体の他方面内側における前記凸条ファスナーテープと対向する箇所に該凸条ファスナーテープと咬合可能に設けるとともに、その背面には開放部を外側に向けたカギ状舌片を設けて成り、
前記開封スライダーは、前記カギ状舌片に係合してスライド可能としたことを特徴とするスライドファスナー機構。
【請求項２】
前記凹条ファスナーテープにおけるカギ状舌片の基部の肉厚を、薄くしたことを特徴とする請求項１に記載のスライドファスナー付袋体。
【請求項３】
前記凹条ファスナーテープにおけるカギ状舌片の基部に、切り込みを入れたことを特徴とする請求項１または請求項２のいずれかに記載のスライドファスナー機構。
【考案の詳細な説明】
【技術分野】
【０００１】
本考案は、スライドファスナー機構に関し、詳しくは、袋体において、簡単な構造のスライドファスナーによって容易に開封することができるスライドファスナー機構に関するものである。
【背景技術】
【０００２】
袋体の開口部の両側内面に対向させて設けられる凹凸の帯状のファスナーテープは、係合用のスライダーを有する形態と、単に袋体の開口部の両側内面に対向させて設けられる形態が主に用いられている。例えば、図６に示すような係合用のスライダーを有する形態は、該係合用のスライダーによって開封作業は簡単に行えるものの、特に食品用の袋体に使用される場合、該係合用のスライダーが袋体の開口部の上端に設けられるため、袋体の上方に開口部しろを設けることができない構造であること、並びに、袋体に詰められている内容物が係合用のスライダーにおけるファスナーテープの開放機能部分に付着するため衛生上好ましくない状態が発生するという欠点があり、「袋体のスライダー」（特許文献１）を初めとする係合用のスライダーを用いる多くの提案は、かかる欠点を回避するものではなかった。
【０００３】
一方、図７に示すような単に袋体の開口部の両側内面に対向させて設けられるファスナーテープ形態は、開口部しろを有する構造とすることができるものの、開封作業においては該開口部しろ両側を指で摘んで開放しなければならず、手間を要するものであった。また、ファスナーテープの一部を開放すると連鎖的に全てが開放してしまう構造であるため、一部のみ開放したい場合にその一部開放状態を維持することが困難であり、さらには、開封作業で開口部しろを指で摘むこと自体が不衛生であった。
【０００４】
【特許文献１】実開平６−７７５１８号公報
【考案の開示】
【考案が解決しようとする課題】
【０００５】
本考案は、上記問題点に鑑み、袋体を簡単な構造のスライドファスナーによって容易に開封することができるとともに、衛生的な上方開放型袋体用のスライドファスナー機構を提供することを目的とする。
【課題を解決するための手段】
【０００６】
前記目的を達成するため、本考案は、凸条ファスナーテープと、凹条ファスナーテープと、開封スライダーと、で構成される上方開放型袋体用のスライドファスナー機構であって、前記凸条ファスナーテープは、袋体の一方面内側における上方所定箇所に設けて成り、前記凹条ファスナーテープは、袋体の他方面内側における前記凸条ファスナーテープと対向する箇所に該凸条ファスナーテープと咬合可能に設けるとともに、その背面には開放部を外側に向けたカギ状舌片を設けて成り、前記開封スライダーは、前記カギ状舌片に係合してスライド可能とした構造となっている。
【０００７】
また、本考案は、前記凹条ファスナーテープにおけるカギ状舌片の基部の肉厚を、薄くした構造を採ることができる。
【０００８】
さらに、本考案は、前記凹条ファスナーテープにおけるカギ状舌片の基部に、切り込みを入れた構造を採用することもできる。
【考案の効果】
【０００９】
本考案にかかるスライドファスナー機構によれば、簡単な構造であって、かつ、容易に開封可能なスライドファスナー機構を提供することができる。
【００１０】
また、本考案にかかるスライドファスナー機構によれば、開封スライダーが袋体の外側側面に設けられる構造によって、開口部しろを袋体の上端開口部付近に設けることができるとともに、内容物が係合用のスライダーに付着することがなく且つ開口部しろを指で摘んで開封するのでなく袋体側面の開封スライダーにより該袋体の外側から開封可能であるためいため衛生的であり、さらには、開口部しろを利用して袋体に内容物の注ぎ口を設けることも可能であって、袋体内に詰められる内容物を衛生的且つ安定して取り出すことが可能となる。
【考案を実施するための最良の形態】
【００１１】
本考案にかかるスライドファスナー機構２は、凸条ファスナーテープ４と凹条ファスナーテープ５と開封スライダー６とで構成され、前記凸条ファスナーテープ４を袋１体の一方面内側における上方所定箇所に設け、前記凹条ファスナーテープ５を袋体１の他方面内側における前記凸条ファスナーテープ４と対向する箇所に該凸条ファスナーテープ４と咬合可能に設け且つその背面には開放部を外側に向けたカギ状舌片８を設け、前記開封スライダー６を前記カギ状舌片８に係合してスライド可能としたことを最大の特徴とする。以下、本考案にかかるスライドファスナー機構２の実施形態を図面に基づいて説明する。
【００１２】
図１は、本考案にかかるスライドファスナー機構２を採用した袋体１を示す全体斜視図である。
該袋体１には、その上方所定箇所に、凸条ファスナーテープ４と凹条ファスナーテープ５とを咬合させ、開封スライダー６によって開封する構造のスライドファスナー機構２が設けられている。かかる構造を採ることにより、該袋体１の上方開口部には、開口部しろ７を設けることが可能であって、すなわち、開口部しろ７を有した袋体１であっても、本スライドファスナー機構２によって容易に開封することができる構造となっている。
【００１３】
なお、袋体１の材質については、特に限定するものではないが、一般的には、例えば透明性が高い塩化ビニールやポリオレフィン系の合成樹脂等といったフィルム状合成樹脂材料が使われる。その際、凸凹条のファスナーテープ４，５も同様な材質が使われる。
【００１４】
図２は、本考案にかかるスライドファスナー機構２の要部を示す拡大断面図である。
袋体１の上方所定箇所に設けられたスライドファスナー機構２は、凸条ファスナーテープ４と凹条ファスナーテープ５とが咬合可能となっており、該凹条ファスナーテープ５の背面には開放部を外側に向けたカギ状舌片８が設けられ、開封スライダー６が該カギ状舌片８にスライド可能に係合した構造となっている。
【００１５】
図３は、本考案にかかるスライドファスナー機構２の使用状態を示す拡大断面図である。
咬合した凸条ファスナーテープ４と凹条ファスナーテープ５において、該凹条ファスナーテープ５の背面に設けてあるカギ状舌片８を開封スライダー６によって両側から加圧することにより該凹条ファスナーテープ５が開放され、凸条ファスナーテープ４と凹条ファスナーテープ５の咬合が外される構造となっている。
【００１６】
なお、逆に凸条ファスナーテープ４と凹条ファスナーテープ５とを咬合させるには、該凸条ファスナーテープ４と凹条ファスナーテープ５の位置を合わせて袋体１側面から指などにより加圧することで行う。すなわち、開封スライダー６は、凸条ファスナーテープ４と凹条ファスナーテープ５の咬合を外す機能のみを備えるものである。
【００１７】
かかる構造を採用することで、開口部しろ７を袋体１の上端開口部付近に設けることができるとともに、内容物が開封スライダー６に付着することがなく且つ開口部しろ７を指で摘んで開封するのでなく袋体１側面の開封スライダー６をスライドさせることにより該袋体１の外側から開封可能であるためいため、非常に衛生的なスライドファスナー機構２を備える袋体１を提供することができる。
【００１８】
図４は、本考案にかかるスライドファスナー機構２の別の実施形態を示す拡大断面図であり、凹条ファスナーテープ５におけるカギ状舌片８の基部９の肉厚１０を薄くした構造となっている。
かかる構造とすることにより、開封スライダー６によってカギ状舌片８を両側から加圧する際により容易に加圧可能とするとともに、凸条ファスナーテープ４と凹条ファスナーテープ５の咬合部がより開放され易くすることが可能となる。
【００１９】
図５は、本考案にかかるスライドファスナー機構２のさらに別の実施形態を示す拡大断面図であり、凹条ファスナーテープ５におけるカギ状舌片８の基部９に切り込み１１を入れた構造となっている。
かかる構造とすることにより、上記同様、開封スライダー６によってカギ状舌片８を両側から加圧する際により容易に加圧可能とするとともに、凸条ファスナーテープ４と凹条ファスナーテープ５の咬合部がより開放され易くすることが可能となる。
【００２０】
なお、上記の凹条ファスナーテープ５におけるカギ状舌片８の基部の構造について、肉厚を薄くする実施形態と切り込み１１を入れた実施形態とを併合した実施形態も可能である。
【００２１】
図６は、従来におけるスライドファスナー機構の実施形態を示す説明図である。
図に示すような係合用のスライダーを有する形態は、係合用のスライダーによって開封作業は簡単に行えるものの、例えば食品用の袋体１に使用される場合、係合用のスライダーが袋体１の開口部の上端に設けられるため、注ぎ口となる開口部しろ７を設けることができない構造であることと、並びに袋体１に詰められている食品充填物が係合用のスライダーにおけるファスナーテープの開放機能１２部分に付着するため、衛生上好ましくない状態が発生する欠点がある構造となっている。
【００２２】
図７は、従来におけるファスナーテープ機構の実施形態を示す説明図である。
単に袋体１の開口部の両側内面に対向させて設けられるファスナーテープの形態は、開口部しろ７を有する構造とすることができるものの、開封作業においては該開口部しろ７両側を指で摘んで開放しなければならないもので、開封の際の手間を要する構造であるとともに、ファスナーテープの一部を開放すると連鎖的に全てが開放してしまう構造であって、一部のみ開放したい場合にその一部開放状態を維持することが困難であり、さらには、開封作業で開口部しろを指で摘むこと自体が不衛生なものである。
【図面の簡単な説明】
【００２３】
【図１】本考案にかかるスライドファスナー機構を採用した袋体を示す全体斜視図である。
【図２】本考案にかかるスライドファスナー機構の要部を示す拡大断面図である。
【図３】本考案にかかるスライドファスナー機構の使用状態を示す拡大断面図である。
【図４】本考案にかかるスライドファスナー機構の別の実施形態を示す拡大断面図である。
【図５】本考案にかかるスライドファスナー機構のさらに別の実施形態を示す拡大断面図である。
【図６】従来におけるスライドファスナー機構の実施形態を示す説明図である。
【図７】従来におけるファスナーテープ機構の実施形態を示す説明図である。
【符号の説明】
【００２４】
１    袋体
２    スライドファスナー機構
４    凸条ファスナーテープ
５    凹条ファスナーテープ
６    開封スライダー
７    開口部しろ
８    カギ状舌片
９    基部
１０    肉厚
１１    切り込み
１２    ファスナーテープの開放機能
【図１】
0003137096.tif 000003
【図２】
0003137096.tif 000004
【図３】
0003137096.tif 000005
【図４】
0003137096.tif 000006
【図５】
0003137096.tif 000007
【図６】
0003137096.tif 000008
【図７】
0003137096.tif 000009